(57)【要約】  【課題】  特に固体粒子汚れに対して優れた洗浄性能及び再汚染防止性能を有し、更に良好な柔軟性を有し、保存安定が良好で、香料を高配合できる液体洗浄剤組成物の提供。  【解決手段】  （ａ）陰イオン界面活性剤、（ｂ）一般式（Ｉ）で表されるアミン化合物、（ｃ）非イオン界面活性剤、（ｄ）香料及び（ｅ）一般式（II）で表される化合物を特定割合で含有する液体洗浄剤組成物。【化１】2007314693.tif 000010〔式中、Ｒ1は炭素数１３〜２１のアルキル基又はアルケニル基、Ｒ2及びＲ3は炭素数１〜６のアルキル基又はヒドロキシアルキル基、ＸはＮＨ、ＣＯＮＨ、ＣＯＯ及びＯから選ばれる基、Ｒ4は炭素数２〜６のアルキレン基を示す。〕    Ｒ5Ｏ｛(Ｃ2Ｈ4Ｏ)m（Ｃ3Ｈ6Ｏ)p｝Ｈ        （II）〔式中、Ｒ5は炭素数１〜８のアルキル基又はフェニル基、ｍ及びｐは各々０〜６の数であり、両者が同時に０になることはない。〕【選択図】  なし【特許請求の範囲】
【請求項１】
下記（ａ）成分、（ｂ）成分、（ｃ）成分、（ｄ）成分及び（ｅ）成分を含有し、組成物中の（ａ）成分の含有量が５〜２０質量％、（ｂ）成分の含有量が０．５〜１０質量％、（ｃ）成分の含有量が５〜２５質量％、（ｄ）成分の含有量が０．５〜３質量％、（ｅ）成分の含有量が１〜２０質量％であり、（ａ）成分と（ｂ）成分の質量比（ａ）／（ｂ）が１／１〜１０／１、（ａ）成分と（ｂ）成分との合計量と（ｃ）成分の質量比［（ａ）＋（ｂ）］／（ｃ）が２／３〜３／１、（ｄ）成分と（ｅ）成分の質量比（ｄ）／（ｅ）が１／２〜１／２０である液体洗浄剤組成物。
（ａ）陰イオン界面活性剤
（ｂ）一般式（Ｉ）で表されるアミン化合物
【化１】
2007314693.tif 000009
〔式中、Ｒ1は炭素数１３〜２１のアルキル基又はアルケニル基、Ｒ2及びＲ3はそれぞれ独立に、炭素数１〜６のアルキル基又はヒドロキシアルキル基、ＸはＮＨ、ＣＯＮＨ、ＣＯＯ及びＯから選ばれる基、Ｒ4は炭素数２〜６のアルキレン基を示す。〕
（ｃ）非イオン界面活性剤
（ｄ）香料
（ｅ）一般式（II）で表される化合物
Ｒ5Ｏ｛(Ｃ2Ｈ4Ｏ)m（Ｃ3Ｈ6Ｏ)p｝Ｈ        （II）
〔式中、Ｒ5は炭素数１〜８のアルキル基又はフェニル基、ｍ及びｐは各々０〜６の数であり、両者が同時に０になることはなく、｛  ｝内はｍ及びｐが０より大きいときに、オキシエチレン基とオキシプロピレン基がランダム状及び／又はブロック状に結合しているポリオキシアルキレン鎖である。〕
【請求項２】
更に（ｆ）成分として、分子中に４〜１０個の炭素原子を含み、且つ芳香族基を有するスルホン酸又はその塩を含有する請求項１記載の液体洗浄剤組成物。
【請求項３】
更に（ｇ）成分として、炭素数１〜４の１価のアルコールを含有する請求項１又は２記載の液体洗浄剤組成物。
【請求項４】
（ｄ）成分の香料が、感覚強度が４以上かつＣｌｏｇＰが３以上の香料素材（以下、香料素材ＡＢという）を４０質量％以上含有する香料である請求項１〜３いずれかに記載の液体洗浄剤組成物。
【請求項５】
香料素材ＡＢが、下記に示す香料素材Ａ群及び香料素材Ｂ群からなる群より選ばれる少なくとも１種である請求項４記載の液体洗浄剤組成物。
・香料素材Ａ群
アセチルセドレン、α−ダマスコン、１−デカナールとアンスラニル酸メチルとのシッフベース、アミルシンナミックアルデヒド、サリチル酸アミル、β−ダマスコン、シクラメンアルデヒド、ダマセノン、δ−ダマスコン、ゲラニルニトリル、α−ヨノン、β−ヨノン、メチルシクロオクチルカーボネート、リリアール、リリアールとアンスラニル酸メチルとのシッフベース、リモネン、酢酸リナリル、リラールとアンスラニル酸メチルとのシッフベース、酢酸ジヒドロテルピニル、エチレンドデカンジオエート、マイラックアルデヒド、ネロリドール、フェニル酢酸  ｐ−クレジル、３−メチル−５−フェニルペンタン−１−オール、イソカンフィルシクロヘキサノール、２−メチル−４−（２，２，３−トリメチル−３−シクロペンテン−１−イル）−２−ブテン−１−オール、６−アセチル−１，１，２，４，４，７−ヘキサメチル−テトラリン、酢酸テルピニル及びエチレンドデカンジオエートからなる群。
・香料素材Ｂ群
シトラール、シクロペンタデカノン、ジフェニルメタン、エチルトリシクロ［５．２．１．０2,6］デカン−２−イルカーボキシレート、ｐ−イソプロピルシクロヘキシルメタノール、エチル−２−シクロヘキシルプロピオネート、サンタロール、ジメチルオクタノール、テトラヒドロリナロール、ベチベロール、酢酸ベチベリル、アリルヨノン、アンブレットリド、オーランチオール、サリチル酸  ｃｉｓ−３−ヘキセニル、ギ酸シトロネリル、エストラゴール、エチレンブラシレート、ギ酸ゲラニル、β−ナフトールメチルエーテル、シクロヘキシルプロピオン酸アリル、シトロネラール、１−（３，３−ジメチル−６−シクロヘキセン−１−イル）−ペンタ−４−エン−１−オンと１−（３，３−ジメチル−１−シクロヘキセン−１−イル）−ペンタ−４−エン−１−オンの混合物、エチルデハイドロシクロゲラネート、ｌ−メントール、シクロペンタデカノリド、チモール、４−メチル−３−デセン−５−オール、１−デカノール、１−ノナノール、デカナール、ウンデカナール、ドデカナール、２−メチルウンデカナール、γ−ウンデカラクトン、酪酸イソアミル、酢酸ノニル、ウンデセナール、ｎ−ノナナール、ヘプタン酸アリル、シトロネリルオキシアセトアルデヒド及びシクロペンタデカノリドからなる群。
【請求項６】
（ｄ）成分の香料が、感覚強度が５以上かつＣｌｏｇＰが３以上の香料素材を１０質量％以上含有する香料である請求項４又は５記載の液体洗浄剤組成物。
【請求項７】
感覚強度が５以上かつＣｌｏｇＰが３以上の香料素材が、請求項５記載の香料素材Ｂ群から選ばれる少なくとも１種である請求項６記載の液体洗浄剤組成物。
【発明の詳細な説明】
【技術分野】
【０００１】
本発明は、液体洗浄剤組成物に関する。
【背景技術】
【０００２】
従来から、洗浄後の繊維製品が、繊維処理剤の脱落や塩類の付着等によって、柔らかさを失い、ごわごわした感触になるのを防止するために、洗浄剤に柔軟化剤を配合することが検討されてきた。繊維表面に沈着して、繊維製品の風合いに柔軟性を付与する柔軟化剤として、従来、スメクタイト等の粘土鉱物（例えば特許文献１参照）、ジアルキル型第４級アンモニウム塩や長鎖アミン等の陽イオン界面活性剤（例えば特許文献２、３参照）、ポリ（ジメチルシロキサン）等のシリコーン（例えば特許文献４参照）等が提案されてきた。
【０００３】
最近、消費者の要求に伴って、柔軟化に加え、香りを訴求（特に香料の持続性と残香性）した衣料用洗剤が上市され、香料組成物の高配合が検討課題の一つになってきている。
【０００４】
液体洗浄剤は粉末洗浄剤に比べ、粉立ちによる咽がない、汚れ部分に直接塗布できるといった使いやすさの点で優れている。また、液状やペースト状の成分は粉末洗浄剤には多量に配合できないが、液体洗浄剤には比較的多量に配合できるといった使いやすさの点で優れている。しかし、粘土鉱物のような固体粒子や、シリコーンのような水不溶性の高分子化合物は液体洗浄剤組成物中で沈降・分離等が起こり易く、安定性の点で配合検討において注意が必要であった。このため、液体洗浄剤には柔軟化剤として陽イオン界面活性剤を用いることが一般的であった。
【０００５】
柔軟化剤として陽イオン界面活性剤を用いる場合、陰イオン界面活性剤と陽イオン界面活性剤との水不溶性のコンプレックスが生成し液体洗浄剤組成物が白濁・分離する恐れがあり、安定性の点で配合検討において注意が必要であった。このため、洗浄剤として用いる界面活性剤としては非イオン界面活性剤が一般的であり、陰イオン界面活性剤は用いたとしても少量であった。非イオン界面活性剤は、他の界面活性剤に比べ脱脂力が高いために、皮脂汚れ等に有効であるが、繊維製品の風合いを硬くする傾向があり十分な柔軟効果が得られ難いという問題があった。
【０００６】
また、陰イオン界面活性剤を高配合した場合、香料（油性成分）を高配合すると分離する恐れがあり、安定性の点で配合検討において注意が必要であった。
【０００７】
また洗浄工程において、固体粒子汚れの再汚染防止は重要な課題の一つである。この再汚染を防止するために、カルボキシメチルセルロース等のセルロース系の再汚染防止剤（例えば特許文献５参照）や、ポリエチレングリコール等のノニオン性高分子再汚染防止剤の配合検討が行われているが、十分な効果が得られず、液体洗浄剤に配合すると系の粘度上昇が見られるといった問題点があった。
【０００８】
一方、固体粒子汚れや繊維は水中において負の電荷を持っており、陰イオン界面活性剤を用いた場合、これらの負の電荷量が増大し、固体粒子汚れは繊維から落ちやすく、再付着し難くなる（例えば非特許文献１参照）。こういった点で、洗浄剤に用いる界面活性剤として、陰イオン界面活性剤は好適である。
【特許文献１】特開２００６−１０４４０６号公報
【特許文献２】特開平１１−３１５２９９号公報
【特許文献３】特開２００５−１７９５２９号公報
【特許文献４】特開２００２−２４９７９９号公報
【特許文献５】特開２００１−１５２１９９号公報
【非特許文献１】界面活性の化学と応用、大日本図書、１１８頁〜１１９頁
【発明の開示】
【発明が解決しようとする課題】
【０００９】
本発明の課題は、特に固体粒子汚れに対して優れた洗浄性能及び再汚染防止性能を有し、更に良好な柔軟性を有し、保存安定が良好で、香料を高配合できる液体洗浄剤組成物を提供することにある。
【課題を解決するための手段】
【００１０】
本発明者等は、固体粒子汚れの洗浄性能、再汚染防止性能が高い陰イオン界面活性剤と、柔軟効果の高い長鎖アミン系化合物、及び香料を液体洗浄剤組成物中に安定に高配合することで、上記課題が解決できることを見出した。
【００１１】
即ち、本発明は、下記（ａ）成分、（ｂ）成分、（ｃ）成分、（ｄ）成分及び（ｅ）成分を含有し、組成物中の（ａ）成分の含有量が５〜２０質量％、（ｂ）成分の含有量が０．５〜１０質量％、（ｃ）成分の含有量が５〜２５質量％、（ｄ）成分の含有量が０．５〜３質量％、（ｅ）成分の含有量が１〜２０質量％であり、（ａ）成分と（ｂ）成分の質量比（ａ）／（ｂ）が１／１〜１０／１、（ａ）成分と（ｂ）成分との合計量と（ｃ）成分の質量比［（ａ）＋（ｂ）］／（ｃ）が２／３〜３／１、（ｄ）成分と（ｅ）成分の質量比（ｄ）／（ｅ）が１／２〜１／２０である液体洗浄剤組成物を提供する。
（ａ）陰イオン界面活性剤
（ｂ）一般式（Ｉ）で表されるアミン化合物
【００１２】
【化２】
2007314693.tif 000002
【００１３】
〔式中、Ｒ1は炭素数１３〜２１のアルキル基又はアルケニル基、Ｒ2及びＲ3はそれぞれ独立に、炭素数１〜６のアルキル基又はヒドロキシアルキル基、ＸはＮＨ、ＣＯＮＨ、ＣＯＯ及びＯから選ばれる基、Ｒ4は炭素数２〜６のアルキレン基を示す。〕
（ｃ）非イオン界面活性剤
（ｄ）香料
（ｅ）一般式（II）で表される化合物
Ｒ5Ｏ｛(Ｃ2Ｈ4Ｏ)m（Ｃ3Ｈ6Ｏ)p｝Ｈ        （II）
〔式中、Ｒ5は炭素数１〜８のアルキル基又はフェニル基、ｍ及びｐは各々０〜６の数であり、両者が同時に０になることはなく、｛  ｝内はｍ及びｐが０より大きいときに、オキシエチレン基とオキシプロピレン基がランダム状及び／又はブロック状に結合しているポリオキシアルキレン鎖である。〕
本発明は、更に（ｆ）成分として、分子中に４〜１０個の炭素原子を含み、且つ芳香族基を有するスルホン酸又はその塩を含有する上記液体洗浄剤組成物を提供する。
【００１４】
本発明は、更に（ｇ）成分として、炭素数１〜４の１価のアルコールを含有する上記液体洗浄剤組成物を提供する。
【発明の効果】
【００１５】
本発明の液体洗浄剤組成物は、安定性、洗浄性能、再汚染防止性能、柔軟性能の何れもが優れ、更に香料を高配合できるという効果を有する。
【発明を実施するための最良の形態】
【００１６】
［（ａ）成分］
本発明の（ａ）成分である陰イオン界面活性剤としては、下記（ａ１）〜（ａ４）に示す化合物が挙げられる。
（ａ１）平均炭素数１０〜２０のアルキル基を有するアルキルベンゼンスルホン酸塩。
（ａ２）アルキル基の平均炭素数が１０〜２０、エチレンオキサイド（以下、ＥＯと表記することもある）平均付加モル数が０．５〜６のポリオキシエチレンアルキルエーテル硫酸塩。
（ａ３）平均炭素数１０〜２０のアルキル基又はアルケニル基を有するアルキル又はアルケニル硫酸エステル塩。
（ａ４）平均炭素数８〜２０の脂肪酸塩。
【００１７】
これら陰イオン界面活性剤の対イオンとしては、ナトリウム、カリウム等のアルカリ金属イオン、マグネシウム、カルシウム等のアルカリ土類金属イオン、モノエタノールアミン、ジエタノールアミン、トリエタノールアミン等のアルカノールアミン、モノメチルジエタノールアミン、ジメチルモノエタノールアミン等のアルキルアルカノールアミンなどの陽イオンからなる群から選択される少なくとも１種が挙げられる。
【００１８】
（ａ）成分は、特に、保存安定性向上の点で（ａ１）を含有することが好ましく、また、すすぎ性改善の点で（ａ４）を含有することが好ましい。
【００１９】
（ａ）成分は、１種又は２種以上を混合して用いても良く、更に中和物として液体洗浄剤組成物中に配合しても、酸形態で液体洗浄剤組成物中に配合した後中和してもよい。
【００２０】
［（ｂ）成分］
本発明の（ｂ）成分である一般式（Ｉ）で表されるアミン化合物において、一般式（Ｉ）中のＲ1は炭素数１５〜２１、更に炭素数１５〜１９のアルキル基又はアルケニル基が好ましく、特にアルキル基が好ましい。また、Ｒ2及びＲ3はそれぞれ独立に、炭素数１〜３、更に炭素数１のアルキル基又はヒドロキシアルキル基が好ましく、特にアルキル基が好ましい。また、Ｒ2及びＲ3は同一であることが好ましい。ＸはＣＯＮＨが好ましい。Ｒ4は炭素数２〜４、更に３のアルキレン基が好ましく、直鎖アルキレン基がより好ましい。
【００２１】
（ｂ）成分としては、一般式(III)で表されるアミン化合物から選ばれる少なくとも１種が好ましい。
【００２２】
【化３】
2007314693.tif 000003
【００２３】
〔式中、Ｒ1、Ｒ2及びＲ3は前記と同じ意味を示し、ｎは２〜６、好ましくは２〜４、更に好ましくは３の整数を示す。〕
一般式(III)で表されるアミン化合物の具体例としては、ラウリルアミドプロピルジメチルアミン、ミリスチルアミドプロピルジメチルアミン、パルミチルアミドプロピルジメチルアミン、ステアリルアミドプロピルジメチルアミン、ベヘニルアミドプロピルジメチルアミン、オレイルアミドプロピルジメチルアミン等が挙げられる。
（ｂ）成分は、１種又は２種以上を混合して用いることができる。
【００２４】
［（ｃ）成分］
本発明の（ｃ）成分である非イオン界面活性剤としては、下記（ｃ１）〜（ｃ５）に示す化合物が挙げられる。
（ｃ１）一般式(IV)で表されるポリオキシエチレン／オキシプロピレンアルキルエーテル
Ｒ6Ｏ［(ＥＯ)s／(ＰＯ)t］Ｈ      (IV)
（式中、Ｒ6は炭素数９〜２０のアルキル基を示し、ＥＯはオキシエチレン基、ＰＯはオキシプロピレン基を示し、ｓ、ｔは各々ＥＯ、ＰＯの平均付加モル数で、ｓは４〜１６、ｔは１〜５の数を示す。ＥＯ、ＰＯはランダム付加又はブロック付加でもよい。）
（ｃ２）平均炭素数が９〜２０の１級アルコール又は２級アルコール由来のアルキル基又はアルケニル基を有し、エチレンオキサイドの平均付加モル数が１〜２０モルであるポリオキシエチレンアルキル又はアルケニルエーテル
（ｃ３）一般式（Ｖ）で表されるアルキルグリコシド
Ｒ7−(ＯＲ8)xＧy      （Ｖ）
（式中、Ｒ7は直鎖又は分岐鎖の炭素数８〜１８のアルキル基、アルケニル基、又はアルキルフェニル基、Ｒ8は炭素数２〜４のアルキレン基、Ｇは炭素数５又は６の還元糖に由来する残基、ｘは平均値０〜６の数、ｙは平均値１〜１０の数を示す。）
（ｃ４）脂肪酸アルカノールアミド
（ｃ５）ポリヒドロキシ脂肪酸アミド
（ｃ）成分の中では、（ｃ２）のポリオキシエチレンアルキル又はアルケニルエーテルが好ましい。特に安定性の観点から、エチレンオキサイドの平均付加モル数は３〜１８が好ましく、５〜１５がより好ましい。また、（ｃ２）中のアルキル基又はアルケニル基は、１級アルコール由来のアルキル基と２級アルコール由来のアルキル基の両方であることが、安定性の観点から好ましく、１級アルコール由来のポリオキシエチレンアルキル又はアルケニルエーテル／２級アルコール由来のポリオキシエチレンアルキル又はアルケニルエーテルの質量比が１／１〜１０／１であるものが好ましく、２／１〜８／１であるものがより好ましく、３／１〜７／１であるものが更に好ましい。また、１級アルコール、２級アルコールはそれぞれ直鎖のものが好ましい。
【００２５】
［（ｄ）成分］
本発明の（ｄ）成分である香料としては、液体洗浄剤容器の開口時の香りが経時的に変化したり弱くなるのを抑制し、かつ衣類への残香性にも優れる観点から、感覚強度が４以上かつＣｌｏｇＰが３以上の香料素材（以下、香料素材ＡＢという）を（ｄ）成分中に４０質量％以上含有するものが好ましい。
【００２６】
ここで、「感覚強度」とは、Physical Foundations in Perfumery(American Perfumer and Cosmetics，1970年12月発行）中、第５章、Absolute Intensity of 0dor, 0lfactory Equilibrium、第４３〜４７頁に記載の方法により求められる匂いの感覚強度である。
【００２７】
感覚強度はWeber-Fechner則に従うものであって、シトラールを標準香料として物質の匂いの感覚強度を評価するものであり、シトラールの１００質量％の匂いの感覚強度を「５」とする。
【００２８】
即ち、シトラールの１００質量％と、例えば、物質（イ）の１００質量％が同じ強さであった場合、その感覚強度は「５」である。次に、感覚強度４、３、２、１、０のサンプルを得るため、シトラールを無臭溶剤であるフタル酸ジエチルで希釈して、シトラールの４０質量％、１６質量％、６．３質量％、２．５質量及び１質量％の各希釈液（以下、シトラールの標準希釈液という）を調製する。例えば、物質（ロ）の１００質量％と、シトラールの４０質量％標準希釈液が同じ強さであった場合、その感覚強度は「４」で、物質（ハ）の１００質量％と、シトラールの１６質量％標準希釈液が同じ強さであった場合、その感覚強度は「３」である。
【００２９】
感覚強度が６以上の強い物質の強さを決めるには匂い物質の４０質量％、１６質量％、６．３質量、２．５質量％等の希釈液を用意して、シトラールの１００質量％と比較する必要がある。例えば、物質（ニ）の４０質量％希釈液がシトラールの１００質量％の強さと同じであった場合、その感覚強度は「６」であり、物質（ホ）の１６質量％希釈液がシトラールの１００質量％の強さと同じであった場合、その感覚強度は「７」であり、物質（ヘ）の６．３質量％希釈液がシトラールの１００質量％の強さと同じであった場合、その感覚強度は「８」であり、物質（ト）の２．５質量％希釈液がシトラールの１００質量％の強さと同じであった場合、その感覚強度は「９」である。
【００３０】
前記文献“Physical Foundations in Perfumery”には、感覚強度１の化合物の例としてローズフェノン（Rosacetol, Rose crystal）、感覚強度２の化合物の例として酢酸ベンジル、フェニルエチルアルコール等が挙げられている。
【００３１】
次に、「ＣｌｏｇＰ」とは、有機化合物の水と１−オクタノールに対する親和性を示す係数である。Daylight Chemical Information System, Inc. から入手できるプログラム“ＣＬＯＧＰ”で計算される。このプログラムは、実測のＬｏｇＰ値がある場合にはそれと共に、Hansch，Leo のフラグメントアプローチにより算出される“計算ＬｏｇＰ”の値である。フラグメントアプローチは化合物の化学構造に基づいており、原子の数及び化学結合のタイプを考慮している（cf. A. Leo, Comprehensive Medicinal Chemistry, Vol.4, C. Hansch, P. G. Sammnens, J. B. Taylor and C. A. Ramsden, Eds., p.295, Pergamon Press, 1990）。本発明では、プログラムＣＬＯＧＰ ｖ4.01により計算したＣｌｏｇＰ値を用いた。
【００３２】
本発明に使用される香料素材ＡＢとして、下記香料素材Ａ群及び香料素材Ｂ群からなる群より選ばれる少なくとも１種を用いることができる。
・香料素材Ａ群
感覚強度が４であって、かつＣｌｏｇＰが３以上の化合物からなる群である。具体例として、アセチルセドレン（Ａ１）、α−ダマスコン（Ａ２）、１−デカナールとアンスラニル酸メチルとのシッフベース（Ａ３）、アミルシンナミックアルデヒド（Ａ４）、サリチル酸アミル（Ａ５）、β−ダマスコン（Ａ６）、シクラメンアルデヒド（Ａ７）、ダマセノン（Ａ８）、δ−ダマスコン（Ａ９）、ゲラニルニトリル（Ａ１０）、α−ヨノン（Ａ１１）、β−ヨノン（Ａ１２）、メチルシクロオクチルカーボネート（Ａ１３）、リリアール（Ａ１４）、リリアールとアンスラニル酸メチルとのシッフベース（Ａ１５）、リモネン（Ａ１６）、酢酸リナリル（Ａ１７）、リラールとアンスラニル酸メチルとのシッフベース（Ａ１８）、酢酸ジヒドロテルピニル（Ａ１９）、エチレンドデカンジオエート（Ａ２０）、マイラックアルデヒド（Ａ２１）、ネロリドール（Ａ２２）、フェニル酢酸  ｐ−クレジル（Ａ２３）、３−メチル−５−フェニルペンタン−１−オール（Ａ２４）、イソカンフィルシクロヘキサノール（Ａ２５）、２−メチル−４−（２，２，３−トリメチル−３−シクロペンテン−１−イル）−２−ブテン−１−オール（Ａ２６）、６−アセチル−１，１，２，４，４，７−ヘキサメチル−テトラリン（Ａ２７）、酢酸テルピニル（Ａ２８）及びエチレンドデカンジオエート（Ａ２９）が例示される。
・香料素材Ｂ群
感覚強度５以上であって、かつＣｌｏｇＰが３以上の化合物からなる群である。具体例として、シトラール（Ｂ１）、シクロペンタデカノン（Ｂ２）、ジフェニルメタン（Ｂ３）、エチルトリシクロ［５．２．１．０2,6］デカン−２−イルカーボキシレート（Ｂ４）、ｐ−イソプロピルシクロヘキシルメタノール（Ｂ５）、エチル−２−シクロヘキシルプロピオネート（Ｂ６）、サンタロール（Ｂ７）、ジメチルオクタノール（Ｂ８）、テトラヒドロリナロール（Ｂ９）、ベチベロール（Ｂ１０）、酢酸ベチベリル（Ｂ１１）、アリルヨノン（Ｂ１２）、アンブレットリド（Ｂ１３）、オーランチオール（Ｂ１４）、サリチル酸  ｃｉｓ−３−ヘキセニル（Ｂ１５）、ギ酸シトロネリル（Ｂ１６）、エストラゴール（Ｂ１７）、エチレンブラシレート（Ｂ１８）、ギ酸ゲラニル（Ｂ１９）、β−ナフトールメチルエーテル（Ｂ２０）、シクロヘキシルプロピオン酸アリル（Ｂ２１）、シトロネラール（Ｂ２２）、１−（３，３−ジメチル−６−シクロヘキセン−１−イル）−ペンタ−４−エン−１−オンと１−（３，３−ジメチル−１−シクロヘキセン−１−イル）−ペンタ−４−エン−１−オンの混合物（Ｂ２３）、エチルデハイドロシクロゲラネート（Ｂ２４）、ｌ−メントール（Ｂ２５）、シクロペンタデカノリド（Ｂ２６）、チモール（Ｂ２７）、４−メチル−３−デセン−５−オール（Ｂ２８）、デカノール（Ｂ２９）、１−ノナノール（Ｂ３０）、デカナール（Ｂ３１）、ウンデカナール（Ｂ３２）、ドデカナール（Ｂ３３）、２−メチルウンデカナール（Ｂ３４）、γ−ウンデカラクトン（Ｂ３５）、酪酸イソアミル（Ｂ３６）、酢酸ノニル（Ｂ３７）、ウンデセナール（Ｂ３８）、ｎ−ノナナール（Ｂ３９）、ヘプタン酸アリル（Ｂ４０）、シトロネリルオキシアセトアルデヒド（Ｂ４１）及びシクロペンタデカノリド（Ｂ４２）が例示される。
【００３３】
これらの中でも、好ましい香料素材ＡＢとして、安定性や、少量の配合でも分かりやすい香りが創作できるという観点より、アセチルセドレン（Ａ１）、α−ダマスコン（Ａ２）、アミルシンナミックアルデヒド（Ａ４）、サリチル酸アミル（Ａ５）、シクラメンアルデヒド（Ａ７）、ダマセノン（Ａ８）、δ−ダマスコン（Ａ９）、ゲラニルニトリル（Ａ１０）、β−ヨノン（Ａ１２）、メチルシクロオクチルカーボネート（Ａ１３）、リリアール（Ａ１４）、リモネン（Ａ１６）、酢酸リナリル（Ａ１７）、マイラックアルデヒド（Ａ２１）、３−メチル−５−フェニルペンタン−１−オール（Ａ２４）、イソカンフィルシクロヘキサノール（Ａ２５）、２−メチル−４−（２，２，３−トリメチル−３−シクロペンテン−１−イル）−２−ブテン−１−オール（Ａ２６）、６−アセチル−１，１，２，４，４，７−ヘキサメチル−テトラリン（Ａ２７）、酢酸テルピニル（Ａ２８）、シクロペンタデカノン（Ｂ２）、ｐ−イソプロピルシクロヘキシルメタノール（Ｂ５）、サリチル酸  ｃｉｓ−３−ヘキセニル（Ｂ１５）、デカナール（Ｂ３１）、２−メチルウンデカナール（Ｂ３４）及びヘプタン酸アリル（Ｂ４０）が例示される。
【００３４】
本発明において、香りの持続性、残香性の観点から、香料素材ＡＢの合計含有量は、本発明の（ｄ）成分中４０質量％以上が好ましく、より好ましくは５０質量％以上、更に好ましくは６０質量％以上である。
【００３５】
本発明の（ｄ）成分は、感覚強度が５以上かつＣｌｏｇＰが３以上の香料素材を、（ｄ）成分中１０質量％以上含むことが好ましく、更には１５質量％以上、特に２０質量％以上含むことが好ましい。感覚強度が５以上かつＣｌｏｇＰが３以上の香料素材として、前述の香料素材Ｂ群として挙げたものが例示される。この中でも香りの経時安定性や少量の配合でも分かりやすい香りが創作できるという観点より、シトラール（Ｂ１）、エチルトリシクロ［５．２．１．０2,6］デカン−２−イルカーボキシレート（Ｂ４）、エチル−２−シクロヘキシルプロピオネート（Ｂ６）、テトラヒドロリナロール（Ｂ９）、オーランチオール（Ｂ１４）、エチレンブラシレート（Ｂ１８）、β−ナフトールメチルエーテル（Ｂ２０）、シクロヘキシルプロピオン酸アリル（Ｂ２１）、シトロネラール（Ｂ２２）、１−（３，３−ジメチル−６−シクロヘキセン−１−イル）−ペンタ−４−エン−１−オンと１−（３，３−ジメチル−１−シクロヘキセン−１−イル）−ペンタ−４−エン−１−オンの混合物（Ｂ２３）、シクロペンタデカノリド（Ｂ２６）、４−メチル−３−デセン−５−オール（Ｂ２８）、ドデカナール（Ｂ３３）、γ−ウンデカラクトン（Ｂ３５）及びウンデセナール（Ｂ３８）が好ましいものとして例示される。
【００３６】
本発明の（ｄ）成分は、香料素材ＡＢ以外の香料を含有していても良い。香料素材ＡＢ以外の香料として、フェニルエチルアルコール、酢酸ベンジル、ゲラニオール、ネロール、酢酸ベンジル、４−（４−ヒドロキシフェニル）−２−ブタノン、ヘリオトロピン、リラール等が例示される。
【００３７】
［（ｅ）成分］
本発明の（ｅ）成分である一般式（II）で表される化合物としては、エチレングリコールモノブチルエーテル、ジエチレングリコールモノブチルエーテル（ブチルカルビトール）、プロピレングリコールジエチレングリコールモノブチルエーテル、ジプロピレングリコールエチレングリコールモノブチルエーテル、エチレングリコールモノフェニルエーテル、トリエチレングリコールモノフェニルエーテル等を挙げることができる。中でも、安定性の観点から一般式（II−１）又は（II−２）で表される化合物が好ましい。
【００３８】
Ｒ5-1Ｏ(Ｃ2Ｈ4Ｏ)m1Ｈ        （II−１）
〔式中、Ｒ5-1は炭素数１〜８、好ましくは２〜６のアルキル基、ｍ１は１〜６、好ましくは１〜３の数である。〕
Ｒ5-2Ｏ(Ｃ2Ｈ4Ｏ)m2Ｈ        （II−２）
〔式中、Ｒ5-2はフェニル基、ｍ２は１〜６、好ましくは１〜３の数である。〕
一般式（II−１）で表される化合物としては、エチレングリコールモノブチルエーテル、ジエチレングリコールモノブチルエーテル等が、一般式（II−２）で表される化合物としては、エチレングリコールモノフェニルエーテル、トリエチレングリコールモノフェニルエーテル等が挙げられる。
【００３９】
（ｅ）成分としては、特に、一般式（II−１）で表される化合物及一般式（II−２）で表される化合物を含有することが好ましく、（II−１）／（II−２）の質量比が１／１０〜１０／１がより好ましく、１／５〜５／１が更に好ましく、１／２〜２／１が特に好ましい。
【００４０】
［液体洗浄剤組成物］
本発明の液体洗浄剤組成物は、必須成分として、上記のような（ａ）成分、（ｂ）成分、（ｃ）成分、（ｄ）成分及び（ｅ）成分を含有する。本発明の組成物中の（ａ）成分の含有量は、安定性、洗浄性能、再汚染防止性能の観点より、５〜２０質量％であり、８〜１８質量％が好ましく、１０〜１６質量％がより好ましく、１２〜１５質量％が更に好ましい。
【００４１】
また本発明の液体洗浄剤組成物は、洗浄性能、すすぎ性改善の観点から、（ａ）成分として、上記（ａ４）の平均炭素数８〜２０の脂肪酸塩を含有することが好ましく、組成物中の（ａ４）の含有量は０．１〜５質量％が好ましく、０．３〜３質量％がより好ましい。
【００４２】
本発明の液体洗浄剤組成物中の（ｂ）成分の含有量は、安定性、洗浄性能、柔軟性能の観点より、０．５〜１０質量％であり、１〜８質量％が好ましく、２〜６質量％がより好ましく、３〜５質量％が更に好ましい。
【００４３】
本発明の液体洗浄剤組成物中の（ｃ）成分の含有量は、安定性、洗浄性能、柔軟性能、香料高配合性の観点より、５〜２５質量％であり、８〜２０質量％が好ましく、１０〜１８質量％がより好ましく、１２〜１６質量％が更に好ましい。
【００４４】
本発明の液体洗浄剤組成物中の（ｄ）成分の含有量は、安定性、香料の持続性、残香性の観点より、０．５〜３質量％であり、０．６〜２．５質量％が好ましく、０．７〜２質量％がより好ましく、０．８〜１．５質量％が更に好ましい。
【００４５】
本発明の液体洗浄剤組成物中の（ｅ）成分の含有量は、安定性、洗浄性能、柔軟性能、香料高配合性の観点より、１〜２０質量％であり、２〜１５質量％が好ましく、３〜１２質量％がより好ましく、５〜１０質量％が更に好ましい。
【００４６】
本発明の液体洗浄剤組成物中の（ａ）成分と（ｂ）成分の質量比（ａ）／（ｂ）は、安定性、柔軟性能の観点より、１／１〜１０／１であり、３／２〜８／１が好ましく、２／１〜７／１がより好ましく、３／１〜６／１が更に好ましい。
【００４７】
本発明の液体洗浄剤組成物中の（ａ）成分と（ｂ）成分との合計量と（ｃ）成分の質量比［（ａ）＋（ｂ）］／（ｃ）は、安定性、洗浄性能の観点より、２／３〜３／１であり、３／４〜５／２が好ましく、５／６〜２／１がより好ましく、１／１〜３／２が更に好ましい。
【００４８】
本発明の液体洗浄剤組成物中の（ｄ）成分と（ｅ）成分の質量比（ｄ）／（ｅ）は、安定性、香料高配合性の観点より、１／２〜１／２０であり、１／４〜１／１８が好ましく、１／６〜１／１６がより好ましく、１／８〜１／１４が更に好ましい。
【００４９】
本発明の液体洗浄剤組成物は、安定性の観点から（ｆ）成分として、分子中に４〜１０個の炭素原子を含み、且つ芳香族基を有するスルホン酸又はその塩を含有することが好ましい。本発明の組成物中の（ｆ）成分の含有量は、０．１〜１０質量％が好ましく、０．２〜５質量％がより好ましく、０．３〜３質量％が更に好ましい。
【００５０】
（ｆ）成分としては、例えばベンゼンスルホン酸、トルエンスルホン酸、キシレンスルホン酸、クメンスルホン酸、スルホ安息香酸、スルホフタル酸、ナフタレンスルホン酸及びそれらのナトリウム塩、カリウム塩、ジエタノールアミン塩などが挙げられる。これらの中でも、トルエンスルホン酸、キシレンスルホン酸、クメンスルホン酸及びそれらのナトリウム塩、カリウム塩、ジエタノールアミン塩などが好ましい。また、これらは随意に１種単独で用いても２種以上を併用してもよい。
【００５１】
本発明の液体洗浄剤組成物は、安定性の観点から（ｇ）成分として、炭素数１〜４の１価のアルコールを含有することが好ましい。本発明の組成物中の（ｇ）成分の含有量は、０．１〜１０質量％が好ましく、０．５〜５質量％がより好ましく、１〜３質量％が更に好ましい。
【００５２】
（ｇ）成分としては、メタノール、エタノール、プロパノール、ブタノール等が挙げられるが、特にエタノールが好ましい。
【００５３】
更に本発明の液体洗浄剤組成物には、次の（ｉ）〜(xiii)に示す成分を配合することができる。
（ｉ）アルカリ金属の水酸化物、ケイ酸塩、炭酸ナトリウム等の炭酸塩、及びアルカノールアミンなどのアルカリ剤
（ii）エチレングリコール及びプロピレングリコール等のグリコール類、安息香酸塩（防腐剤としての効果もある）、並びに尿素などの減粘剤及び可溶化剤
（iii）ポリオキシアルキレンベンジルエーテル、ポリオキシアルキレンフェニルエーテルなどの相調整剤及び洗浄力向上剤
（iv）ニトリロ三酢酸塩、エチレンジアミン四酢酸塩、イミノ二酢酸塩、ジエチレントリアミン五酢酸塩、グリコールエーテルジアミン四酢酸塩、ヒドロキシエチルイミノ二酢酸塩及びトリエチレンテトラミン六酢酸塩等のアミノポリ酢酸塩、マロン酸、コハク酸、リンゴ酸、ジグリコール酸、酒石酸及びクエン酸などの金属イオン捕捉剤
（ｖ）ポリアクリル酸、ポリマレイン酸、カルボキシメチルセルロース、重量平均分子量５０００以上のポリエチレングリコール、無水マレイン酸−ジイソブチレン共重合体、無水マレイン酸−メチルビニルエーテル共重合体、無水マレイン酸−酢酸ビニル共重合体、ナフタレンスルホン酸塩ホルマリン縮合物、及び特開昭５９−６２６１４号公報の請求項１〜２１（１頁３欄５行〜３頁４欄１４行）記載のポリマーなどの再汚染防止剤及び分散剤
（vi）ポリビニルピロリドン等の色移り防止剤
（vii）過炭酸ナトリウムまたは過硼酸ナトリウム等の漂白剤
（viii）テトラアセチルエチレンジアミン、特開平６−３１６７００号の一般式（Ｉ−２）〜（Ｉ−７）で表される漂白活性化剤等の漂白活性化剤
（ix）アミラーゼ、プロテアーゼ、リパーゼ及びセルラーゼ等の酵素
（ｘ）塩化カルシウム、硫酸カルシウム、ギ酸、ホウ酸（ホウ素化合物）等の酵素安定化剤
（xi）チノパールＣＢＳ（チバスペシャリティケミカルズ製）やホワイテックスＳＡ（住友化学社製）等の蛍光染料
（xii）シリカ、シリコーン等の消泡剤
（xiii）ブチルヒドロキシトルエン、ジスチレン化クレゾール、亜硫酸ナトリウム及び亜硫酸水素ナトリウム等の酸化防止剤
本発明の液体洗浄剤組成物中、（ｉ）のアルカリ剤の含有量は０．０１〜１０質量％が好ましい。(ii)の減粘剤及び可溶化剤の含有量は０．０１〜３０質量％が好ましい。（iii）の相調整剤及び洗浄力向上剤の含有量は０．０１〜１０質量％が好ましい。（iv）の金属イオン捕捉剤の含有量は０．１〜２０質量％が好ましい。（ｖ）の再汚染防止剤及び分散剤の含有量は０．０１〜１０質量％が好ましい。(vi)の色移り防止剤の含有量は０．０１〜１０質量％が好ましい。（vii）の漂白剤の含有量は０．０１〜１０質量％が好ましい。（viii）の漂白活性化剤の含有量は０．０１〜１０質量％が好ましい。（ix）の酵素の含有量は０．００１〜２質量％が好ましい。（ｘ）の酵素安定化剤の含有量は０．００１〜２質量％が好ましい。（xi）の蛍光染料の含有量は０．００１〜１質量％が好ましい。（xii）の消泡剤の含有量は０．０１〜２質量％が好ましい。（xiii）の酸化防止剤の含有量は０．０１〜２質量％が好ましい。
【００５４】
本発明の液体洗浄剤組成物は、その他、青味付け剤、抗菌防腐剤、（ｂ）成分以外の陽イオン界面活性剤、両性界面活性剤等を含有することができる。
【００５５】
本発明の液体洗浄剤組成物の２０℃における粘度は、取り扱いの容易さの点で１０〜４００ｍＰａ・ｓが好ましく、３０〜３００ｍＰａ・ｓがより好ましく、５０〜２００ｍＰａ・ｓが更に好ましい。粘度調整剤によりこのような範囲になるように調製することが好ましい。
【００５６】
なお、これらの粘度は、Ｂ型粘度計（（株）東京計器製、ＶＩＳＣＯＭＥＴＥＲ  ＭＯＤＥＬ  ＤＶＭ−Ｂ）を用い、ローター３又は４、回転数６０ｒ／ｍｉｎ、測定時間６０秒の条件で測定されたものである。
【００５７】
粘度調整剤として、減粘剤としてはエタノール、メタノール、プロパノール、グリセリン、エチレングリコール、プロピレングリコール等の炭素数１〜４の低級アルコール、トルエンスルホン酸（塩）、キシレンスルホン酸（塩）等を用いることができ、増粘剤としては水溶性高分子、無機電解質を用いることができる。水溶性高分子としては、ポリマレイン酸、ポリイタコン酸、ビニルメチルエーテル−無水マレイン酸共重合物等が挙げられる。無機電解質としては、硫酸ナトリウム、塩化ナトリウム、塩化カリウム等が挙げられる。
【００５８】
本発明の液体洗浄剤組成物は、安定性、洗浄性能、損傷性の観点から、ＪＩＳ  Ｋ  ３３６２：１９９８記載の２０℃で測定するｐＨは６〜９が好ましく、６．５〜８がより好ましい。
【実施例】
【００５９】
実施例１
下記（ａ）成分、（ｂ）成分、（ｃ）成分、（ｄ）成分、（ｅ）成分、更に（ｂ）成分の比較品である（ｂ’）成分を用い、表２〜表４に示す組成の液体洗浄剤組成物を調製した。得られた液体洗浄剤組成物について、その洗浄力、保存安定性、再汚染防止性、柔軟性を下記の方法により評価した。結果を表２〜表４に示す。
【００６０】
＜配合成分＞
（ａ）成分
・ＬＡＳ：直鎖アルキル（炭素数１０〜１４）ベンゼンスルホン酸ナトリウム、商品名  ネオペレックスＧ−６５（花王株式会社製）（有効分換算して配合した）
・ＥＳ：ポリオキシエチレンアルキルエーテル硫酸ナトリウム、商品名  エマール２７０Ｊ（花王株式会社製）（有効分換算して配合した）
・脂肪酸：商品名  ルナックＬ−５５（花王株式会社製）
（ｂ）成分
・アミン化合物１：ＲＣＯＮＨ(ＣＨ2)3Ｎ(ＣＨ3)2（Ｒ：炭素数１７のアルキル基）
・アミン化合物２：ＲＣＯＯ(ＣＨ2)3Ｎ(ＣＨ3)2（Ｒ：炭素数１７のアルキル基）
・アミン化合物３：ＲＯ(ＣＨ2)3Ｎ(ＣＨ3)2（Ｒ：炭素数１８のアルキル基）
・アミン化合物４：ＲＮＨ(ＣＨ2)3Ｎ(ＣＨ3)2（Ｒ：炭素数１８のアルキル基）
（ｂ’）成分（（ｂ）成分の比較品）
・アミン化合物５：ＲＣＯＮＨ(ＣＨ2)3Ｎ(ＣＨ3)2（Ｒ：炭素数１２のアルキル基）
・アミン化合物６：ＲＣＯＮＨ(ＣＨ2)3Ｎ(ＣＨ3)2（Ｒ：炭素数２２のアルキル基）
・アミン化合物７：ＲＣＯＮＨＣＨ2Ｎ(ＣＨ3)2（Ｒ：炭素数１７のアルキル基）
・アミン化合物８：ＲＣＯＮＨ(ＣＨ2)7Ｎ(ＣＨ3)2（Ｒ：炭素数１７のアルキル基）
（ｃ）成分
・非イオン界面活性剤１：エマルゲン１２０（花王株式会社製）（炭素数１２〜１４の１級アルコールにＥＯを平均１２モル付加させたポリオキシエチレンアルキルエーテル）
・非イオン界面活性剤２：炭素数１２〜１４の直鎖第１級アルコール（商品名  カルコール２４７４（花王株式会社製））にＥＯを平均５モル付加させたポリオキシエチレンアルキルエーテル
・非イオン界面活性剤３：ソフタノール７０（（株）日本触媒製）（炭素数１２〜１４の２級アルコールにＥＯを平均７モル付加させたポリオキシエチレンアルキルエーテル）
・非イオン界面活性剤４：炭素数１２〜１４の直鎖第１級アルコール（商品名  カルコール２４７４（花王株式会社製））にＥＯを平均５モル、ＰＯを平均２モル、ＥＯを平均３モルの順にブロック付加させたポリオキシアルキレンアルキルエーテル
（ｄ）成分
表１に示す香料組成物１〜５
【００６１】
【表１】
2007314693.tif 000004
【００６２】
（ｅ）成分
・ｅ−１：ジエチレングリコールモノブチルエーテル
・ｅ−２：エチレングリコールモノフェニルエーテル
・ｅ−３：トリエチレングリコールモノフェニルエーテル
＜洗浄力の評価法＞
まず、特開平１０−１６８４８５号公報第１４欄第６行に記載の方法に従い、人工汚染布を調製した。次いで、評価用洗浄剤組成物の水溶液１Ｌに１０ｃｍ×１０ｃｍの人工汚染布を５枚入れ、ターゴトメータにて１００ｒｐｍで洗浄した（洗浄条件：洗浄時間５分間、洗浄剤組成物濃度０．０６６７質量％、水の硬度４°ＤＨ、水温２０℃、水道水にてすすぎ５分間）。
【００６３】
洗浄力は汚染前の原布及び洗浄前後の汚染布の５５０ｎｍにおける反射率を自記色彩計（島津製作所製）にて測定し、次式によって洗浄率（％）を求め、５枚の測定平均値を洗浄力とした。洗浄力が４０％以上であれば、洗浄力に優れると判断される。
【００６４】
【数１】
2007314693.tif 000005
【００６５】
＜保存安定性の評価法＞
５０ｍＬのサンプルビン（Ｎｏ．６広口規格ビン、ガラス製、直径４０ｍｍ、高さ８０ｍｍの円筒形）に、液体洗浄剤組成物を４０ｍＬ充填し、蓋をした後、５℃の恒温室で３０日間静置した。液体の安定性は目視で外観を下記の基準で判定した。
○；均一液体相であり、液安定性に優れる。
△；やや分離又は析出しているように見えるが気にならない程度である。
×；分離又は析出が認められる。
【００６６】
＜再汚染防止性の評価法＞
木綿の白布（金巾２００３布）を１０ｃｍ×１０ｃｍに裁断し、５枚１組とした。評価用洗浄剤組成物の水溶液１Ｌに園芸用鹿沼赤土を加え、ターゴトメーターにて次の条件で洗浄試験を行った。洗浄条件は、洗浄時間：１０分、洗浄剤組成物濃度：０．０８質量％、水の硬度：４°、水の温度：２０℃、すすぎ：２０℃水道水にて５分間流水すすぎである。
【００６７】
再汚染防止能は、洗浄前の原布（白布）及び試験後の汚染布の４６０ｎｍにおける反射率を自記色彩計（島津製作所製）にて測定し、次式によって再汚染防止率を求め、５枚の測定平均値を下記の基準で評価した。再汚染防止率が６０％以上であれば、再汚染防止能に優れると判断される。
【００６８】
再汚染防止率（％）＝（試験後の反射率／原布の反射率）×１００
＜柔軟性の評価法＞
・標準試験布の調製
全自動洗濯機（松下社製ＮＡ−Ｆ５０Ｋ１）を用いて、木綿タオル、木綿メリヤス未着用肌着、アクリルジャージを入れ、ＪＩＳ  Ｋ  ３３６２：１９９８記載の洗浄力判定用指標洗剤を標準使用量に従い投入し、標準コースで洗濯を行った。この洗浄サイクルを５回繰り返し、乾燥機で乾燥した処理布を標準試験布として用いた。
・試験布の調製
上記洗濯機を用いて、木綿タオル２枚、木綿未着用肌着２枚、アクリルジャージ２枚を入れ、表２〜４に示した液体洗浄剤組成物を４０ｍＬ入れ、標準コースで洗濯を行った。洗濯終了後、室内（２５℃、４５％ＲＨ）で１昼夜乾燥を行い、各試験布を得た。
・判定
各試験布について、標準試験布を基準として、パネラー５名の官能評価により下記基準で判定した。各パネラーが判定した衣類計６枚の合計点の平均値を求め、柔軟性評価点とした。柔軟性評価点が８点以上の場合、柔軟性に優れると判断される。
【００６９】
標準試験布に比べて明らかに柔らかい：＋２点
標準試験布に比べてやや柔らかい    ：＋１点
標準試験布と同等                  ：  ０点
標準試験布に比べてやや硬い        ：−１点
標準試験布に比べて明らかに硬い    ：−２点
＜脱水布の香り立ち評価＞
全自動洗濯機（松下社製ＮＡ−Ｆ５０Ｋ１）を用いて、木綿タオル２kg、アクリルジャージ１kgを入れ、ＪＩＳ  Ｋ  ３３６２：１９９８記載の洗浄力判定用指標洗剤を標準使用量に従い投入し、標準コースで洗濯を行った。この洗浄サイクルを５回繰り返し、乾燥機で乾燥した処理布を標準試験布として用いた。上記洗濯機を用いて、木綿タオル１０枚、アクリルジャージ（３００ｇ）を入れ、表２〜４に示した液体洗浄剤組成物を４０ｍＬ入れ、標準コースで洗濯を行った。この方法で処理した布の香り立ちの評価を10人のパネラーで行った。香りの強さに関する官能評価は次の６段階で行い、平均値を算出した。
【００７０】
０： 匂わない
１： かすかに匂う
２： 匂う
３： 明らかに匂う
４： 強く匂う
５： 非常に強く匂う
＜乾燥布の香り立ち評価＞
脱水布の香り立ち評価を行った後、室内で風乾後、25℃、65％RHの恒温恒湿室で24時間放置した。これらの布を専門パネラー10人により、脱水布の香り立ち評価と同じ基準に従って、残香性の評価を行い、平均値を算出した。
【００７１】
【表２】
2007314693.tif 000006
【００７２】
【表３】
2007314693.tif 000007
【００７３】
【表４】
2007314693.tif 000008
【００７４】
*1  蛍光染料：チノパールＣＢＳ−Ｘ（チバスペシャリティケミカルス社製）
*2  ポリマー：特開平１０−６０４７６号公報の４頁段落００２０の合成例１の方法で合成したフェノキシポリエチレングリコール−アクリル酸−マレイン酸共重合体
*3  シリコーン：アミノ変性シリコーン（ＢＹ−１６、東レ・ダウコーニング社製）
*4  陽イオン界面活性剤：コータミン８６Ｗ（花王株式会社製）